(57)【要約】【課題】予め決められた設定時間帯においては販売不可状態にすることにより消費電力量を低減させて省エネルギー化の要請に十分に応えることができる自動販売機を提供すること。【解決手段】販売待機状態において所望の金銭が投入され、かつ商品が選択された場合に、選択された商品を調理して提供するようにした自動販売機であって、現在時刻が予め決められた設定時間帯に含まれる場合に、商品の調理に利用される冷却水を生成する圧縮機３２、並びに商品の調理に利用される湯を生成するヒータＨの駆動を維持させながら、投入された金銭の処理を行う金銭処理装置３１、各部の光源を点灯させる照明装置３４を停止させて販売不可状態にさせる制御手段４０を備えたものである。【選択図】図４
2011258107.tif 000002
【特許請求の範囲】
【請求項１】
販売待機状態において所望の金銭が投入され、かつ商品が選択された場合に、選択された商品を調理して提供するようにした自動販売機であって、
現在時刻が予め決められた設定時間帯に含まれる場合に、前記商品の調理に利用される冷却水を生成する冷却装置、並びに前記商品の調理に利用される湯を生成する加熱装置の駆動を維持させながら、投入された金銭の処理を行う金銭処理装置、各部の光源を点灯させる照明装置を停止させて販売不可状態にさせる制御手段を備えたことを特徴とする自動販売機。
【請求項２】
前記制御手段は、販売不可状態にさせる場合には、湯の温度を衛生管理に必要な７３℃以上となるよう前記加熱装置を駆動させることを特徴とする請求項１に記載の自動販売機。
【請求項３】
前記制御手段は、販売不可状態にさせる場合には、冷却水の温度を衛生管理に必要な８℃以下となるよう前記冷却装置を駆動させることを特徴とする請求項１又は請求項２に記載の自動販売機。
【発明の詳細な説明】
【技術分野】
【０００１】
本発明は、自動販売機に関し、より詳細には、販売待機状態において所望の金銭が投入され、かつ商品が選択された場合に、選択された商品を調理して提供するようにした自動販売機に関するものである。
【背景技術】
【０００２】
従来、例えばコーヒー飲料等の商品をカップに投入された状態で販売する自動販売機として、特許文献１に提案されたものが知られている。すなわち、販売待機状態においていずれかの商品選択ボタンが押下された場合に、該当する商品を自動販売機本体の内部で調理し、調理した商品をカップに投入された状態で取出口を臨む位置に搬送し、取り出し可能にするものである。
【先行技術文献】
【特許文献】
【０００３】
【特許文献１】特開２００４−２４６６１６号公報
【発明の概要】
【発明が解決しようとする課題】
【０００４】
ところで、上述した特許文献１に記載されているような自動販売機、すなわちカップ式飲料自動販売機は、屋内に設置されるのが一般的であり、当該自動販売機を利用する者も屋内施設利用者が大半である。そのため、屋内施設利用者が激減する深夜等の時間帯においては、当該自動販売機を利用する者も少なくなる。そこで、省エネルギー化の観点より、例えば深夜等の時間帯においては、自動販売機本体の各部に配設された光源を消灯して、販売待機状態となる自動販売機が知られている。
【０００５】
しかしながら、上記光源を消灯して販売待機状態となる自動販売機では、依然として金銭の処理を行う金銭処理装置や各種のセンサ類を駆動可能にする必要があり、これにより消費電力量が過大となり、結果的に、省エネルギー化の要請に十分に応えることは困難であった。
【０００６】
本発明は、上記実情に鑑みて、予め決められた設定時間帯においては販売不可状態にすることにより消費電力量を低減させて省エネルギー化の要請に十分に応えることができる自動販売機を提供することを目的とする。
【課題を解決するための手段】
【０００７】
上記目的を達成するために、本発明の請求項１に係る自動販売機は、販売待機状態において所望の金銭が投入され、かつ商品が選択された場合に、選択された商品を調理して提供するようにした自動販売機であって、現在時刻が予め決められた設定時間帯に含まれる場合に、前記商品の調理に利用される冷却水を生成する冷却装置、並びに前記商品の調理に利用される湯を生成する加熱装置の駆動を維持させながら、投入された金銭の処理を行う金銭処理装置、各部の光源を点灯させる照明装置を停止させて販売不可状態にさせる制御手段を備えたことを特徴とする。
【０００８】
また、本発明の請求項２に係る自動販売機は、上述した請求項１において、前記制御手段は、販売不可状態にさせる場合には、湯の温度を衛生管理に必要な７３℃以上となるよう前記加熱装置を駆動させることを特徴とする。
【０００９】
また、本発明の請求項３に係る自動販売機は、上述した請求項１又は請求項２において、前記制御手段は、販売不可状態にさせる場合には、冷却水の温度を衛生管理に必要な８℃以下となるよう前記冷却装置を駆動させることを特徴とする。
【発明の効果】
【００１０】
本発明の自動販売機によれば、制御手段が、現在時刻が予め決められた設定時間帯に含まれる場合に、商品の調理に利用される冷却水を生成する冷却装置、並びに商品の調理に利用される湯を生成する加熱装置の駆動を維持させながら、投入された金銭の処理を行う金銭処理装置、各部の光源を点灯させる照明装置を停止させて販売不可状態にさせるので、消費電力量を低減させることができる。これにより消費電力量を低減させて省エネルギー化の要請に十分に応えることができるという効果を奏する。
【図面の簡単な説明】
【００１１】
【図１】図１は、本発明の実施の形態である自動販売機を示す正面図である。
【図２】図２は、本発明の実施の形態である自動販売機の内部構造を示す説明図である。
【図３】図３は、本発明の実施の形態である自動販売機を示す原理図である。
【図４】図４は、図１〜図３に示した自動販売機の制御系を示すブロック図である。
【図５】図５は、図４に示した制御手段が実行する管理制御処理の処理内容を示すフローチャートである。
【発明を実施するための形態】
【００１２】
以下に添付図面を参照して、本発明に係る自動販売機の好適な実施の形態について詳細に説明する。
【００１３】
図１〜図３は、それぞれ本発明の実施の形態である自動販売機を示すものであり、図１は正面図、図２は内部構造を示す説明図、図３は原理図である。ここで例示する自動販売機は、レギュラーコーヒー飲料の他、ココア等のインスタント飲料を販売するカップ式の飲料自動販売機であって、より具体的には、クリーム、砂糖、ココア等の粉末原料をカップの内部で調理するカップ内ミキシング方式の飲料自動販売機であり、前面が開口した箱状の本体キャビネット１と、本体キャビネット１の前面開口を閉塞する前面扉２とを備えている。
【００１４】
図２及び図３に示すように、本体キャビネット１の内部には、リザーバ１１、温水タンク１２、製氷器１３、冷却水供給装置１４、抽出装置１５、粉末原料供給装置１６及びカップ搬送装置１７を備えて構成してある。
【００１５】
リザーバ１１は、供給された水道水、あるいは図示せぬ給水タンクから供給された水を一時的に貯留するものである。このリザーバ１１で一時的に貯留された水は、温水タンク１２と製氷器１３と冷却水供給装置１４とに供給されるようにしている。
【００１６】
温水タンク１２は、抽出装置１５の他、調理位置に搬送されたカップＣに供給する湯を貯留するもので、本体キャビネット１の内部上方右奥側、背壁に沿って設けてある。この温水タンク１２には、ヒータＨ（図４参照）が内蔵してあり、リザーバ１１から与えられた水を加熱して湯として貯留する。
【００１７】
このような温水タンク１２には、複数（図３の例では２つ）の湯弁１２１，１２３が配設してある。一の湯弁１２１は、湯供給配管１２２を介して抽出装置１５に接続してあり、該湯弁１２１を開成させることにより湯供給配管１２２を通じて抽出装置１５に湯が供給されるようになっている。他の湯弁１２３は、湯供給配管１２４を介して調理位置に設けられたノズル１２５に接続してあり、該湯弁１２３を開成させることにより湯供給配管１２４を通じてノズル１２５に湯が供給されるようになっている。これにより、調理位置に搬送されたカップＣに対してノズル１２５より湯が注出されることになる。
【００１８】
製氷器１３は、リザーバ１１から供給された水から調理用の氷を製造するもので、図２に示すように、本体キャビネット１の内部上方左奥側に取り付けてある。製氷器１３は、図には明示しないが、円筒状の金属の内面に着氷した氷をオーガで連続的に掻き取り、上部に押し上げながら圧縮成形と切断とを行う製氷部と、製氷部でチップ状に形成された氷を貯蔵する氷ストッカー部とを備えている。氷ストッカー部にはアイスドアが設けてあり、このアイスドアは、氷供給配管１３１を介して調理位置に設けられたノズル（図示せず）に接続してある。アイスドアを開放させることにより、氷供給配管１３１を通じてノズルに氷が供給されるようになっている。これにより、調理位置に搬送されたカップＣに対してノズルより氷が投入されることになる。
【００１９】
冷却水供給装置１４は、冷却水生成配管１４１と冷却水供給配管１４２とを備えて構成してある。冷却水生成配管１４１は、給水弁１４３を介して給水配管１１１に接続してあり、これによりリザーバ１１に連設してある。この冷却水生成配管１４１は、屈曲部１４１ａが形成してあり、該屈曲部１４１ａは冷却水槽１４４内に浸漬してある。冷却水供給配管１４２は、基端部が冷却水生成配管１４１に接続されるとともに、先端部が調理位置に設けられたノズル１４５に接続してあり、自身に設けられた冷却水供給弁１４６を開成させることにより調理位置に搬送されたカップＣに対してノズル１４５より冷却水が注出されることになる。
【００２０】
抽出装置１５は、レギュラーコーヒー飲料を抽出するものであって、図２に示すように、本体キャビネット１の内部上方右側に取り付けてある。抽出装置１５は、上方から下方に向けて順に、豆キャニスタ１５１、コーヒーミル１５２、コーヒーブリュア１５３を備えている。
【００２１】
豆キャニスタ１５１は、例えば透光性のある樹脂材料から構成されており、内部にコーヒー豆を収容している。尚、本実施の形態における抽出装置１５では２つの豆キャニスタ１５１を備えている。このような豆キャニスタ１５１は、内部に原料モータ（図示せず）が設けてあり、かかる原料モータが駆動することにより該豆キャニスタ１５１に収容されたコーヒー豆がコーヒーミル１５２に供給されるようになっている。一方、原料モータが駆動停止することにより該豆キャニスタ１５１に収容されたコーヒー豆の供給が停止される。
【００２２】
コーヒーミル１５２は、豆キャニスタ１５１から供給されたコーヒー豆を挽くものである。このコーヒーミル１５２は、詳細は図示しないが、内部にシュート（水平方向に延びる円筒状の空間）が形成されたミル本体と、シュートに挿通され、外周に螺旋状の刃が形成されたオーガと、オーガを回転させるモータとを有している。そして、モータがオーガを回転させることによりコーヒーミル１５２に供給された豆は入口から出口に向けて送られ、その途中で粉砕されるようになっている。
【００２３】
このようなコーヒーミル１５２においては、ミル本体が豆キャニスタ１５１と同様に、透光性のある樹脂材料から構成されている。
【００２４】
コーヒーブリュア１５３は、コーヒーミル１５２から供給された挽き豆に温水タンク１２から供給された湯を注ぐことにより、レギュラーコーヒー飲料を抽出するものである。コーヒーブリュア１５３は、コーヒー供給配管１５４を介して調理位置に設けられたノズル１５５に接続してあり、かかるコーヒー供給配管１５４を通じて該ノズル１５５にレギュラーコーヒー飲料が供給されるようになっている。これにより、調理位置に搬送されたカップＣに対してノズル１５５よりレギュラーコーヒー飲料が注出されることになる。
【００２５】
粉末原料供給装置１６は、クリーム、砂糖等の粉末原料を原料毎に収容し、必要に応じて払い出すもので、図２に示すように、本体キャビネット１の内部上方中央に設けてある。粉末原料供給装置１６は、複数の原料キャニスタ１６１と、原料キャニスタ１６１毎に設けられた原料シュータ１６２とを備えている。
【００２６】
原料キャニスタ１６１は、粉末原料を収容して払い出す容器であり、上面が前下がりとなるように傾斜しており、この上面に原料投入口（図示せず）が形成してある。また、原料投入口は、開閉可能な蓋によって閉成してあり、粉末原料に異物が混入しないようになっている。また、原料キャニスタ１６１の底部には、螺旋状に形成されたスクリュ（図示せず）が回転可能に設けられ、原料キャニスタ１６１の奥に取り付けた原料モータが駆動すると、スクリュが回転し、原料キャニスタ１６１の底部前面に形成された原料払出口（図示せず）から粉末原料が払い出されるようになっている。
【００２７】
原料シュータ１６２は、対応する原料キャニスタ１６１から払い出された粉末原料を受け取り、一時的に収容するもので、原料キャニスタ１６１の前方から下方に延びる筒状をなしている。
【００２８】
カップ搬送装置１７は、図示せぬカップ供給位置において供給されたカップＣを受取位置を経由して調理位置に搬送した後、後述する取出口２１を臨む販売位置に搬送するものであって、本体キャビネット１の内部中央、粉末原料供給装置１６の下方側に設けてある。カップ搬送装置１７は、カップ供給位置において供給されたカップＣを把持するカップ把持部１７１と、カップ把持部１７１が把持したカップＣを左右方向及び前後方向に搬送する搬送機構１７２とを備えている。
【００２９】
搬送機構１７２は、販売待機状態においてカップ把持部１７１を販売位置に待機させるものである。その後に商品が選択されると、カップ供給位置にカップ把持部１７１を搬送し、カップ供給装置から供給されたカップＣをカップ把持部１７１に把持させるものである。カップ供給位置にてカップ把持部１７１にカップＣを把持させた後、搬送機構１７２は、カップ把持部１７１を受取位置に搬送する。ここで受取位置は、原料キャニスタ１６１から原料シュータ１６２に払い出された粉末原料を受け取る位置であって、粉末原料が払い出された原料シュータ１６２の下方が受取位置になる。例えばクリーム・砂糖入りレギュラーコーヒー飲料を販売する場合には、原料キャニスタ１６１から払い出されたクリームが一時的に収容される原料シュータ１６２の下方、並びに原料キャニスタ１６１から払い出された砂糖が一時的に収容される原料シュータ１６２の下方が受取位置になる。
【００３０】
そして、カップＣを把持するカップ把持部１７１を受取位置に順次搬送させることにより、カップＣ内に所望の粉末原料が投入される。その後、搬送機構１７２は、当該カップＣを把持するカップ把持部１７１を調理位置に搬送する。調理位置は、湯、レギュラーコーヒー飲料が注出される他、冷却水や氷が供給される位置であって、カップＣ内の飲料を撹拌するパドル１８が昇降可能に設けてある。この調理位置にて湯、冷却水、あるいはレギュラーコーヒー飲料の注出が完了すると、搬送機構１７２は、カップＣを把持するカップ把持部１７１を販売位置に搬送し、これにより、所望の商品がカップＣに投入された状態で利用者に提供することが可能になる。
【００３１】
前面扉２は、本体キャビネット１の前面開口を開閉可能となる態様で該本体キャビネット１の一側縁部に揺動可能に配設してあり、閉扉動作した場合に、本体キャビネット１の前面開口を閉塞するものである。この前面扉２は、図１に示すように、中程中央に取出口２１が設けてあり、その右方側に投入金額を表示する一体表示器２２、硬貨を投入するための硬貨投入口２３、返却レバー２４が設けてある。また、取出口２１の左方側には紙幣挿入口２５が設けてあり、前面扉２の下部右側には硬貨返却口２６が設けてある。
【００３２】
上記前面扉２の上半分には、選択ボタン２７及び調合ボタン２８が設けてある。選択ボタン２７は、前面扉２の上半分に複数配設してある。これら選択ボタン２７は、商品毎に設けてある。当該商品のイメージが描かれたフレーバーカード２９に対応して設けてある。
【００３３】
上記選択ボタン２７は、調合ボタン２８が押下されることなく自身が押下された場合には、予め決められた調合成分、すなわちコーヒー豆、クリーム及び砂糖が標準量で混合された商品の選択を示す入力手段である。調合ボタン２８は、前面扉２の取出口２１の上側に設けてある。
【００３４】
図４は、図１〜図３に示した自動販売機の制御系を示すブロック図である。この図４に示すように、上記自動販売機は、既述の構成の他、金銭処理装置３１、圧縮機３２、売切センサ３３、照明装置３４、リモコン３５及び制御手段４０を備えて構成してある。
【００３５】
金銭処理装置３１は、コインメカニズムやビルバリデータと称されるものであり、利用者によって金銭（貨幣）が投入された場合にこれを鑑別し、その鑑別結果を制御手段４０に出力するものである。
【００３６】
圧縮機３２は、冷媒回路３２ａ（図３参照）に封入された冷媒を圧縮して高温高圧の状態にして吐出するものであり、冷却水槽１４４に貯留された水を冷却するための冷却装置である。売切センサ３３は、本体キャビネット１の所望の位置、例えば原料シュータ１６２の近傍等の位置に配設され、原料の有無を検知し、その検知結果を制御手段４０に出力するものである。照明装置３４は、本体キャビネット１の各部に設けられた蛍光灯やＬＥＤ等の光源（図示せず）を点灯させるものである。リモコン３５は、制御手段４０に種々の指令や情報を与える入力手段である。尚、図４中の符号３６は、販売動作ユニットであり、既述の各弁や搬送機構１７２等の販売動作の際に駆動する機構の総称である。また、図４中の符号３７は、ボタン類であり、選択ボタン２７や調合ボタン２８の総称である。
【００３７】
制御手段４０は、売切センサ３３、金銭処理装置３１、ボタン類３７（選択ボタン２７及び調合ボタン２８）、リモコン３５から出力信号が与えられた場合、予めメモリ４１に格納したプログラムやデータにしたがって販売動作ユニット３６、一体表示器２２、リモコン３５等の動作を制御するもので、入力制御部４０ａ、出力制御部４０ｂ、販売動作制御部４０ｃ及び管理制御部４０ｄを有している。
【００３８】
入力制御部４０ａは、リモコン３５の操作部が操作された場合にそれぞれの入力操作に対応する指令を各部に与えるものである。出力制御部４０ｂは、表示指令が与えられた場合に一体表示器２２若しくはリモコン３５の表示部を通じて所望の表示を行うものである。
【００３９】
販売動作制御部４０ｃは、商品の販売に関わる処理を統括的に制御するものである。具体的には、金銭処理装置３１に金銭が投入された場合、投入金額が販売価格以上となった時点で該当する選択ボタン２７を有効化する。有効化した選択ボタン２７が押圧操作された場合、販売動作制御部４０ｃは、販売動作ユニット３６の各部を所望のタイミングで動作させて、商品を調理し、カップＣに投入した状態で提供する動作を行う。
【００４０】
更に、販売動作制御部４０ｃは、売切センサ３３を通じて原料の有無を監視し、原料が無いことを検知した場合、該当する商品に対応する売切ランプ（図示せず）を点灯して売切状態であることを報知する処理を行う。
【００４１】
管理制御部４０ｄは、内蔵する時計機能を利用して自動販売機の状態の管理を行うものである。具体的には、自動販売機を販売可能な販売待機状態、販売不可な販売不可状態、販売不可状態から販売待機状態へ遷移させるための準備状態のいずれかの状態にさせるものである。より詳細に説明すると、自動販売機を販売待機状態から販売不可状態にさせる開始時刻（例えば午前２時）と、販売不可状態を解除させる終了時刻（例えば午前４時）とが、リモコン３５を通じて入力されてメモリ４１に予め格納されており、管理制御部４０ｄは、現在時刻が開始時刻を経過した場合に、圧縮機３２及びヒータＨの駆動を維持させながら、金銭処理装置３１、一体表示器２２、ボタン類３７、照明装置３４、販売動作ユニット３６、売切センサ３３及び製氷器１３の駆動を停止させる販売不可状態にさせる。その後、現在時刻が終了時刻を経過した場合に、駆動停止させていた各部を駆動させて準備状態にさせる。そして、予め決められた販売可能条件に達した時点で販売可能な販売待機状態にさせるものである。
【００４２】
また、管理制御部４０ｄは、販売不可状態にさせる場合には、温水タンク１２内の湯の温度を衛生管理に必要な７３℃以上となるようヒータＨを駆動させる。
【００４３】
更に、管理制御部４０ｄは、販売不可状態にさせる場合には、冷却水生成配管１４１における冷却水の温度を衛生管理に必要な８℃以下となるよう、冷却水生成配管１４１の一部（屈曲部１４１ａ）が浸漬する冷却水槽１４４に貯留した水を冷却する圧縮機３２を駆動させる。
【００４４】
図５は、図４に示した制御手段４０が実行する管理制御処理の処理内容を示すフローチャートである。かかる管理制御処理の処理内容を説明することにより、本実施の形態である自動販売機の動作を説明する。
【００４５】
制御手段４０の管理制御部４０ｄは、内蔵する時計機能を利用して現在時刻が予めメモリ４１に格納された開始時刻から終了時刻までの時間帯（午前２時〜午前４時）になければ（ステップＳ１０１：Ｎｏ、あるいはステップＳ１０１：Ｙｅｓ，ステップＳ１０２：Ｙｅｓ）、販売待機状態にさせ（ステップＳ１０３）、その後に手順をリターンさせて今回の処理を終了する。かかる販売待機状態においては、次のようにして商品が販売される。
【００４６】
硬貨投入口２３、あるいは紙幣挿入口２５から販売される商品の対価以上の硬貨又は紙幣が投入されると、該当する商品の選択ボタン２７、並びに調合ボタン２８を有効化させる。
【００４７】
このような状態で調合ボタン２８が押下されることなく、レギュラーコーヒー飲料の加温商品用の選択ボタン２７が押下されたとする。上述したように、選択ボタン２７は、調合ボタン２８が押下されることなく自身が押下された場合には、コーヒー豆、クリーム及び砂糖が標準量で混合された商品の選択を示す入力手段であるから、カップ供給装置から供給されたカップＣには、所定の受取位置（クリームが一時的に収容される原料シュータ１６２の下方、並びに砂糖が一時的に収容される原料シュータ１６２の下方）にてクリーム及び砂糖が投入される。また、これと同時に抽出装置１５においてレギュラーコーヒー飲料の抽出が行われる。
【００４８】
そして、受取位置にて粉末原料が投入されたカップＣは、調理位置に搬送されて、抽出装置１５から抽出されたレギュラーコーヒー飲料が注出されるとともに、パドル１８により撹拌される。レギュラーコーヒー飲料の注出が完了すると、カップＣは、販売位置に搬送され、取出口２１を通じて利用者に提供され、これにより商品（レギュラーコーヒー飲料）が販売されることになる。
【００４９】
一方、制御手段４０の管理制御部４０ｄは、現在時刻が予めメモリ４１に格納された開始時刻から終了時刻までの時間帯（午前２時〜午前４時）に含まれる場合には（ステップＳ１０１：Ｙｅｓ，ステップＳ１０２：Ｎｏ）、圧縮機３２及びヒータＨの駆動を維持させたまま、金銭処理装置３１及び照明装置３４を駆動停止させて販売不可状態にさせ（ステップＳ１０４）、その後に手順をリターンさせて今回の処理を終了する。かかる販売不可状態では、商品販売を禁止することとなり、製氷器１３の駆動も停止させることになる。
【００５０】
以上のような構成を有する自動販売機においては、制御手段４０が、現在時刻が予め決められた設定時間帯に含まれる場合には、圧縮機３２及びヒータＨの駆動を維持させながら、金銭処理装置３１及び照明装置３４を停止させて販売不可状態にさせるので、消費電力量を低減させることができる。これにより消費電力量を低減させて省エネルギー化の要請に十分に応えることができる。
【００５１】
特に、圧縮機３２の駆動を維持させているので、冷却水槽１４４に貯留した水を冷却した状態に維持することができ、終了時刻を経過して再び販売待機状態に遷移するための準備状態に要する時間が長大化することを抑制することができる。
【００５２】
また従来においては、除湿をしないと固まってしまう粉末原料や冷蔵保存しないと変質するシロップ原料、衛生管理に必要な７３℃以上に保持する必要がある湯、衛生管理に必要な８℃以下に保持する冷水等が自動販売機本体（本体キャビネット）の内部に存在する。そのため、自動販売機を長期間に亘って駆動停止する場合には、オペレータが現地に赴き、電源を落として各種原料や湯等を抜き取りに行く必要があり、当該自動販売機を再駆動させる場合には、オペレータが各種原料等を持参して再度現地に赴き、各種原料を補充するとともに、湯や冷却水が所望の温度になるのを確認する必要があった。
【００５３】
これに対し、上記自動販売機では、通常の運転モードにおいて販売不可状態を設定できるようにしておき、かかる販売不可状態にさせる場合には、温水タンク１２における湯の温度を衛生管理に必要な７３℃以上となるようヒータＨを駆動させるとともに、冷却水生成配管１４１における冷却水の温度を衛生管理に必要な８℃以下となるよう圧縮機３２を駆動させるので、オペレータが現地に赴いて原料等を抜き取る必要がなく、オペレータの負担軽減を図ることができる。
【産業上の利用可能性】
【００５４】
以上のように、本発明に係る自動販売機は、販売待機状態において所望の金銭が投入され、かつ商品が選択された場合に、選択された商品を調理して提供するのに有用である。
【符号の説明】
【００５５】
１  本体キャビネット
２  前面扉
１１  リザーバ
１２  温水タンク
１３  製氷器
１４  冷却水供給装置
１５  抽出装置
１６  粉末原料供給装置
１７  カップ搬送装置
１８  パドル
３１  金銭処理装置
３２  圧縮機
３３  売切センサ
３４  照明装置
３５  リモコン
３６  販売動作ユニット
３７  ボタン類
４０  制御手段
４０ａ  入力制御部
４０ｂ  出力制御部
４０ｃ  販売動作制御部
４０ｄ  管理制御部
４１  メモリ
Ｃ  カップ
Ｈ  ヒータ
【図１】
2011258107.tif 000003
【図２】
2011258107.tif 000004
【図３】
2011258107.tif 000005
【図４】
2011258107.tif 000006
【図５】
2011258107.tif 000007